(57)【特許請求の範囲】
【請求項１】
浴槽又は浴槽載置パンの排水孔に接続され、排水孔から流れ出る排水を横方向に導いて送水管を介して流すための浴槽の排水用配管部材であって、扁平状に形成され、上記の送水管が接続される排水流出口が側面に横長状に開口され、この排水流出口の開口面積が上記の排水孔に接続される排水流入口の開口面積より大きく形成され、排水流出口に上記の送水管がバックル式の止め金具で接続され、この止め金具が、排水流出口の近傍の端部に外装されて排水流出口の口縁の鍔部に係止される固定金具と、送水管の接続口側の端部に外装されて接続口の口縁の鍔部に係止される固定金具と、この両方の固定金具の両端を連結するための連結金具と、また縦軸を中心に回動操作して排水流出口の近傍の端部に外装される固定金具の両側を、その復元力に抗して、送水管の接続口側の端部に外装される固定金具の側に引き寄せ、上記の連結金具で送水管を連結させるためのレバーとで形成されていることを特徴とする浴槽の排水用配管部材。
【発明の詳細な説明】
【技術分野】
【０００１】
本発明は、浴槽の排水用配管部材に関し、更に詳しくは浴槽又は浴槽載置パンの排水孔から流れ出る排水を横方向に導いて送水管を介して流すための浴槽の排水用配管部材に関するものである。
【背景技術】
【０００２】
この種の従来品としては、例えば内部空間をほぼ円盤形に形成した受け部材と、途中を湾曲させた送水管部材とで、浴槽からの排水を防水パン（浴槽載置パン）の排水口に導くよう形成しているものがある（例えば特許文献１参照）。
又従来、浴槽載置パンから排水トラップに排水を導く排水管を、水平横断方向に長辺となる扁平形状に形成しているものも知られている（例えば特許文献２参照）。
【特許文献１】特開２０００ー３２８６２３号公報
【特許文献２】特開２００１ー１８２１１８号公報（図２）
【発明の開示】
【発明が解決しようとする課題】
【０００３】
ところでユニットバスの低床化を可能にするには、例えば浴槽の底面から浴槽載置パン迄の高さを低くする必要がある。従って浴槽の下側に配管するこの種の配管部材についても、高さが低く形成されているのが望ましい。しかしこの場合、高さを低くすることにより、単位時間当たりの排水量が低下すると、排水に時間がかかって例えば浴槽のお湯張りを遅らせる等の弊害が発生する。従ってこの種の配管部材は、高さを低く、しかも排水に時間がかかることがないよう形成されているのが望ましい。
しかるに特許文献１記載の従来品の場合は、円盤形の本体部から延ばされている丸管状の出水路が本体部より高く、しかもこの出水路の端部の開口面が浴槽の排水孔に接続する開口部より小さく形成されていた。従ってこの従来品によると、本体部より高い出水路の高さ分だけ、浴槽の下側に高さが必要になり、又流入量より排水量が抑えられて排水に時間がかかる、という問題点があった。
又特許文献２記載の従来品の場合は、排水管は扁平に形成されているものの、浴槽載置パンの排水孔に接続する箇所の高さが高いため、浴槽載置パンの下側に間隔を大きくとる必要があった。又この従来品の場合も、流入量に対する排水量について特に対策が施されていなかったから、これによると排水に時間がかかる、という問題点があった。
【０００４】
本発明は、このような従来の問題点に鑑み、提案されたものである。
従って本発明の技術的課題は、浴槽の下側の高さを抑えることができ、又流入する湯水を迅速に排水できるよう形成した浴槽の排水用配管部材を提供することにある。
【課題を解決するための手段】
【０００５】
本発明は、上記の課題を解決するために、次のような技術的手段を採る。
【０００６】
即ち本発明は、図１、図３等に示されるように、浴槽１又は浴槽載置パン３の排水孔１ａに接続され、排水孔１ａから流れ出る排水を横方向に導いて送水管２を介して流すための浴槽１の排水用配管部材であって、扁平状に形成され、上記の送水管２が接続される排水流出口６が側面に横長状に開口され、この排水流出口６の開口面積が上記の排水孔１ａに接続される排水流入口７の開口面積より大きく形成され、排水流出口６に上記の送水管２がバックル式の止め金具９で接続され、この止め金具９が、排水流出口６の近傍の端部に外装されて排水流出口６の口縁の鍔部１０ａに係止される固定金具１１ａと、送水管２の接続口側の端部に外装されて接続口の口縁の鍔部１０ｂに係止される固定金具１１ｂと、この両方の固定金具１１ａ、１１ｂの両端を連結するための連結金具１２と、また縦軸１３を中心に回動操作して排水流出口６の近傍の端部に外装される固定金具１１ａの両側を、その復元力に抗して、送水管２の接続口側の端部に外装される固定金具１１ｂの側に引き寄せ、上記の連結金具１２で送水管２を連結させるためのレバー１４とで形成されていることを特徴とする（請求項１）。
【０００７】
本発明品は、浴槽１の排水孔１ａに接続され、浴槽１の底面と浴槽載置パン３との間に配管されるのでも、或いは浴槽載置パン３の排水孔（図示せず）に接続され、浴槽載置パン３と建物の床との間に配管されるのでも良い。又本発明品は、扁平状に形成されているのであれば、その外形状は任意である。
【発明の効果】
【０００８】
以上説明したように本発明は、扁平状に形成され、上記の送水管が接続される排水流出口が側面に横長状に開口され、この排水流出口の開口面積が上記の排水孔に接続される排水流入口の開口面積より大きく形成され、排水流出口に上記の送水管がバックル式の止め金具で接続されている。
【０００９】
従って本発明品を使用すれば、浴槽の下側の高さを抑えることができ、流入する湯水を迅速に排水することができる。
【発明を実施するための最良の形態】
【００１０】
以下、本発明の好適な一実施形態を添付図面に従って説明する。
【００１１】
図１等において、１は浴槽であり、１ａはこの浴槽１の排水孔である。この実施形態に係る本発明品は、浴槽１の排水孔１ａに接続され、この排水孔１ａから流れ出る排水を横方向に導いて送水管２としてのゴムエルボを介して浴槽載置パン３に設けた排水トラップ４に流すよう、浴槽１と浴槽載置パン３との間に配管されている。４ａは、排水トラップ４の目皿である。
【００１２】
本発明品は、図１Ｂ等に示されるように、扁平状に形成され、この実施形態では外形状が略箱形に形成されている。なお５は、浴槽１の排水栓１ｂを遠隔開閉操作するためのポップアップワイヤの取付部である。この取付部５は、浴槽１の左仕様、右仕様に対応させるため、左右両側に形成されている。６は上記の送水管２が接続される排水流出口であり、７は上記の排水孔１ａに接続される排水流入口である。排水流出口６は、側面に横長状に開口されている。この実施形態の場合、排水を排水流入口７から排水流出口６に導く流路８は直線状に形成され、この流路８の幅方向の断面形状が排水流出口６の開口面形状と同一に形成されている。従ってこの実施形態に係る本発明によると、排水流入口７から流れ込んだ排水を滞留させることなく迅速に円滑に流すことができ、又製造も容易になる。ここで、流路８が直線状に形成され、とは、排水流入口７から本発明品の内部に流入した排水が排水流出口６に向かって真っ直ぐ流れるよう、流路８が形成されている、ということを意味する。又本発明では、排水流出口６の開口面積が排水流入口７の開口面積より大きく形成されている。
【００１３】
又本発明品を送水管２と接続する場合は、図３〜図５に示されるように、バックル式の止め金具９を使用するのが良い。１１ａは排水流出口６の近傍の本発明品の端部に外装されて鍔部１０ａに係止される固定金具であり、１１ｂは送水管２の接続口側の端部に外装されて鍔部１０ｂに係止される固定金具である。又１２は固定金具１１ａ、１１ｂの両端を連結するための連結金具であり、１４は縦軸１３を中心に側方に回動するレバーである。止め金具９は、このレバー１４を操作して固定金具１１ａの両側を、その復元力に抗して固定金具１１ｂの側に引き寄せることにより、本発明品と送水管２とを堅固に連結できるよう形成されている。
【００１４】
次にこの本発明品における排水の流れを説明する。
浴槽１の排水栓１ｂが開けられると、排水は排水孔１ａから排水流入口７を介して本発明品の内部に流れ込む。次にこの排水は、流路８を経て排水流出口６から流れ出し、送水管２を介して排水トラップ４に流れ込む。この場合本発明品は、排水流出口６の開口面積が、排水流入口７の開口面積より大きく形成されているから、浴槽１から流入する排水は内部で滞留することなく排水流出口６から円滑に流れ出す。
【００１５】
以上の処において、上例では浴槽１の排水孔１ａに本発明品が接続され、浴槽１の底面と浴槽載置パン３との間に配管されているが、本発明品は例えば浴槽載置パン３の排水孔（図示せず）に接続され、浴槽載置パン３と建物の床との間に配管されるのでも良い。
【図面の簡単な説明】
【００１６】
【図１】本発明の配管部材の好適な一実施形態を示し、Ａは接続時の要部縦断面図、Ｂは斜視図である。
【図２】同上配管部材の接続時の要部平面図である。
【図３】止め金具を説明するための要部平面図である。
【図４】図３のＩＶ―ＩＶ線における断面図である。
【図５】図３のＶ―Ｖ線における断面図である。
【符号の説明】
【００１７】
１    浴槽
１ａ  排水孔
２    送水管
３    浴槽載置パン
６    排水流出口
７    排水流入口
９    止め金具
１０ａ、１０ｂ 鍔部
１１ａ、１１ｂ 固定金具
１２ 連結金具
１３ 縦軸
１４ レバー
【図１】
0004438788.tif 000002
【図２】
0004438788.tif 000003
【図３】
0004438788.tif 000004
【図４】
0004438788.tif 000005
【図５】
0004438788.tif 000006